(57)【要約】【課題】  浚渫工事といえば、河川、港湾、湖沼など大規模なプラントを、或いはトンネル工事現場や建築現場における地盤固めでの汚泥回収のためのプラント、大編成の車両群を想像する。他方で小規模の、例えば、道路排水設備としての雨水側溝や雨水枡での排泥清掃や、厨房施設やガソリンスタンド、修理工場に義務付けられているグリーストラップの排泥清掃においては、規模に適した浚渫機械はなく高額な費用を強いられている。小規模な浚渫工事に適した簡便で安価な浚渫機械が望まれている。【解決手段】  機器の運搬、操作、吸入、脱水、廃棄までの全工程が一人で、しかもこの機械一台でこなせる、可搬式小型浚渫機は、各部品の小型化、排気方法の選択、脱水方法の選択など、小型化、軽量化を図る工夫により、実現した。【選択図】図１
2008019695.tif 000002
【特許請求の範囲】
【請求項１】
小型化・軽量化を目的として
１、  吸入タンクの容量を５０リットル前後に設定し
２、  自立した動力源として内燃型エンジンを採用し
３、  タンク排気方法として、ファンを回転させ排気・減圧するブロワーを採用し
４、  過吸入防止装置として予備タンク、フロート弁を採用し
５、  固液分離、油分吸着、汚泥袋詰めの可能な排出装置を備え
６、  吸入ホースと排出ホースとが一本で兼用できるように工夫されている
ことを特徴とし、これらが一体化されている可搬式小型浚渫機。
【発明の詳細な説明】
【技術分野】
【０００１】  本発明は、小規模な浚渫作業において使用する真空応力利用の小型浚渫機械に関する。
【背景技術】
【０００２】  「浚渫」とは、「水底をさらって土砂などを取り除くこと」であり、その方法は様々であるが、真空応力利用の浚渫方法は一般に「バキューム式浚渫」と呼ばれて、有力な浚渫手段の一つである。残り余さず吸い取り浚渫後の仕上がりがきれいなこと、装置そのものの仕組みも単純であり、装置小型化に適した手段だと言えよう。【０００３】  真空応力利用の機械として最も身近な例は、電気掃除機である。この電気掃除機は電気モーターを動力源として、ブロワーによる空気の排気減圧を行って、空気の流れを作り出し空気と一緒にゴミ・塵等を吸入する仕組みになっているのは、周知のとおりである。最近では乾・湿両用の製品も市販されている。小型化しやすい例である。
【特許文献１】特開２００３−２５０７２１
【０００４】  かつて下水道普及率が低かった頃には、家庭・事業所のし尿汲み取り用のバキュームカーが活躍していた。その基本構造は、車両に
（１）吸入物収容タンク
（２）吸入排出ホース
（３）タンク排気用ポンプ
（４）車両のエンジンをポンプの動力源に切り替える装置を備え、これに付随する設備としては、
（５）吸入排出を調節するためのコック、フロート弁
（６）ホースを巻き取り収納するためのホースリール
（７）脱臭装置
（８）動力の回転数を調節するための外部スロットル
（９）過吸入防止のための予備タンク
（１０）積載量確認のための可視ゲージ
などが挙げられる。電気掃除機と同様に空気排気・減圧を行って、気相、液相の流れと共に固形物・半固形物を、吸入排出するものである。
【特許文献２】特開２００５−２１９０２９
【特許文献３】特開平１０−９４５９４
【特許文献４】特開平７−４８８７１
【０００５】「浚渫」というと、河川・港湾・湖沼などを対象とした大掛かりなプラントを連想させる。下水管や雨水管、浄化槽、遊水地の維持管理や、建設現場での地盤強化、レストランやガソリンスタンドなどのグリーストラップの汚泥排出には前項バキュームカーが利用され、「浚渫」工事と呼ばれたりする。
【特許文献５】特開平１０−２８０４６９
【０００６】このバキュームカーを使った「浚渫」工事には、バキュームカー以外に高圧洗浄車、給水車などがセットされ、それぞれ４トン車、１１トン車であるから交通障害の恐れもあり、誘導員もつくという、やはり大掛かりな編成となり、高額な費用が発生する。
それに引き換えて、レストランやガソリンスタンドのグリーストラップは、小規模であり、同様に町内会が清掃分担する雨水側溝や、雨水枡は「浚渫」工事にあたいしないほど小規模なのである。この小規模な「浚渫」工事には、その規模にふさわしい小型の「浚渫」機械が望まれるのは当然のことなのである。
従って、提供しようとする小型浚渫機とは、感覚的には「簡易泥上げ機」、「液相掃除機」と呼んだほうが、わかりやすいかもしれない。
【発明の開示】
【発明が解決しようとする課題】
【０００７】  道路排水設備としての側溝や雨水枡での排泥や清掃、あるいは厨房施設やガソリンスタンド、修理工場に義務づけられているグリーストラップでの排泥や清掃において使用する小型浚渫機を提供することである。簡便で安価な機械が提供できれば、上記業務にかかわる社会コストの低減、公衆衛生の向上につながると考える。
大掛かりな浚渫プラントや、大編成の浚渫車両ではなく、これ一台で完結する、可搬式の小型機械装置が目標である。
【課題を解決するための手段】
【０００８】（１）吸入タンクの小型化      タンク容量を５０リットルに抑える。
（２）運搬車両と切り離す      タンクが小さいので専用車両は不要
（３）自前の動力源をもつ      戸外運転に適する内燃型エンジンを採用する
（４）排気減圧装置            ファンを回転させるブロワー方式を採用する
（５）予備タンク、フロート弁      過吸入事故を防ぐ
（６）分離装置を備える        脱水、油吸着と汚泥回収袋、運搬が容易になる
（７）着脱可能なホース        吸入・排出を一本で兼用する
これらの手段により、一人で操作可能、全工程完結型、可搬式、小型浚渫機を実現する。
特に、プラント、バキュームカーの場合、油分分離回収、脱水、汚泥回収は吸引装置とは切り離されて独立した装置、排水槽、脱水機で行われるのが一般的である。発明浚渫機ではこれらの機能を一体化して完結することに特徴があり、簡便さを生む重要な要素＝発明的要素であることを明記しておく。これを可能にする要件は、汚泥回収袋自体が分離フィルター機能をはたすこと、油分吸着機能をはたすことであり、この袋を分離装置に装着することで実現できる簡便・小型化なのである。【０００９】  一般に汚泥の脱水方法としては、（１）露天山積みによる重力水滲出を図る方法（２）遠心分離機によるもの（３）二枚の布の間に汚泥を挟み布ごしに加圧して脱水する方法（４）排熱利用の高温蒸散による脱水、などがあり、それらが単位量毎のバッヂ処理か、バイオーダーの連続処理かの運転方式がある。いずれも脱水率８５パーセント以上を実現するものである。本考案浚渫機における脱水方法は、重力水滲出を固液分離フィルターと兼ねる汚泥回収袋で実現する仕組みになっており、脱水性能としては５０パーセント程度の簡易脱水である。従って汚泥袋を分離装置から外した後も滲出ドリップは出続けるので、のぞましくは２〜３日袋ごと野積みにしておくと充分な脱水が得られる。汚泥袋単位で回収できることを主目的としており、この方法は浚渫機の小型化・軽量化・小回り性に大きく寄与しているが、脱水性能としては見劣りすることは明記せねばならない。しかしこの低性能で充分間に合うのである。
次に理解しておくべきことは、分離後の滲出汚水の処理方法である。雨水側溝、枡の場合の滲出汚水は、雨水管への放流、一般土壌への浸透が可能である。他方グリーストラップの場合の滲出汚水は、生活雑排水と同様に汚水管へ放流すること、一般土壌への浸透は許されない決まりになっていることである。
【発明の効果】
【００１０】  可搬式、一人で操作可能な完結型の小型浚渫機は、小規模浚渫例えば雨水側溝、枡、グリーストラップなどの汚泥排出、清掃工事を低コストで実現させる。汚泥が土嚢袋状にまとめられるので運搬しやすく、産業廃棄物の中間処理施設へ搬入することなく、直接最終処分場に搬入できる。雨水側溝や枡の清掃を分担する町内会は少子高齢化で人頭が揃わず負担が重くなっている一方で、地方自治体は税収不足で予算がまわせない。追い討ちをかけるように西ナイルウイルスを媒介する蚊のニュースが流れる。
この発明浚渫機が一般化多用されると、社会コストが低減して、公衆衛生は向上する。雨水が下水と合流する合流管方式は多くの自治体で採用されているが、まとまった降雨の後には、多量の土砂が中継ポンプ場や下水処理場に流れ込み、高額な処理費用を支払うこととなるが、この費用削減に役立つ。また、グリーストラップ所有者にとっては費用負担が減り、環境に与える負荷が減らせる。
【発明を実施するための最良の形態】
【００１１】  基本的に真空応力利用の機器においては、エンジン回転数を上げれば、吸引力は高まるが、エンジン騒音も大きくなる。吸引スピードは、吸引力とホース内の吸引物の重量との相関関係で決まる。
低騒音で吸引するには、ホース口での吸い込みの様子や、吸入物が管内を走るときの音で判断しながら、空気や液体を固形物と交互に吸入させて、吸引力の負担を軽くしてやるのが、コツだと言えようか。一気に吸い込ませて早く終わろうとすると失敗する。機械の様子を観察しながら対話しつつ作業するのがよい。【００１２】  （１）  当然のことだが、ホースの内径より大きいものは、吸入できない。ホース口に張り付けば外してやり、大きなゴミは、ゴミはさみ等で引き上げてやる。
（２）  気相、液相、固相の三態のいずれにも対応できるが、吸引力比の吸入重量が小さいほど、スムースに吸入できる。
（３）  従って吸入困難な場合には、空気をすわせたり、水を加えたり、吸入重量を減らす工夫が必要である。
（４）  吸入タンクが満杯になったり、作業が終了した後には、排水、固液分離、油分吸着、汚泥回収を行う。油分のない浚渫の時は、固液分離のみの汚泥袋を分離装置に装着しておく。油分のある浚渫の時は、固液分離に加えて油分吸着機能を持つ汚泥袋を装着しておかなければならない。
（５）  排水分離は、吸入タンクから分離装置に接続する排出管のコックを開くことで始まり、コックを閉じることで終了する。脱水は重力によって行う。
（６）  汚泥袋が一杯になった時は、汚泥袋を交換装着すれば、作業が再開できる。排水は現場で放流されるので、汚泥固形物のみの回収となる。
（７）  前述のとおり、分離脱水された汚泥、油分付着汚泥は、直接廃棄物最終処分場に搬入することができる。どのタイプの処分場かは、各自治体の判断による。
（８）  一度排水した汚水を吸入媒体として繰り返し使用するので、水節約型である。【００１３】「可搬式」とは、「人力で持ち運べる」の意味であるが、本考案浚渫機は乾燥重量で２０キログラム前後の重さであり、「軽トラックに積載して移動できる」くらいの意味である。望ましくは、作業に必要な他の道具、例えば２０リットルポリタンク２個（洗浄水をいれておく）、モルタル混練用の樹脂製平槽（汚泥袋積み込み用）、スケッパー、替え汚泥袋、補充用燃料、などと一緒に考案浚渫機を軽トラックに積み込んで移動・作業するのが効率的である。
【図面の簡単な説明】
【００１４】
【図１】本考案概念図
【図２】本考案浚渫機の平面図
【図３】本考案浚渫機の立面図
【図４】本考案浚渫機の側面図
【００１５】  １    内燃エンジン型ブロワー
２    ブロワー吸気口
３    ブロワー排気口
４    サブタンク
５    サブタンク吸気口
６    サブタンク排気口
７    メインタンク
８    メインタンク排気口
９    メインタンクフロート弁
１０  メインタンク汚泥吸排口
１１  排水分離槽
１２  汚泥袋取付口
１３  汚泥吸排管
１４  汚泥吸排ホース取付口
１５  汚泥吸排ホース
【図１】
2008019695.tif 000003
【図２】
2008019695.tif 000004
【図３】
2008019695.tif 000005
【図４】
2008019695.tif 000006